(57)【特許請求の範囲】
【請求項１】
文具品（１）のための詰め替え品であって、
−  複数の積み重ねられたページ（６ｇ）を含むページの綴り（６）であって、所定の厚さだけ離れている２つの主外面（６ａ、６ｂ）を形成するページの綴り（６）と、
−  前記綴りの一方の側において前記厚さを規定する背と、
−  前記綴りの前記背で前記綴りの前記ページ（６ｇ）を互いに接合する結合部（７）と、
−  前記綴りの前記背に配置され、磁気の引き付ける力により前記文具品のカバー（２）に取り付けられるように構成された磁気的手段（９ａ〜９ｂ；９ａ〜９ｄ；２０８ａ）と、
を備え、
前記詰め替え品が、
前記詰め替え品の背（６ｃ）と、
可撓性のある被覆細片（８；１０８；２０８）と、
をさらに備え、
前記被覆細片が、
○  前記結合部（７）の外側を覆う背部分（８ａ；１０８ａ；２０８ａ）であって、前記詰め替え品の前記背（６ｃ）の一部である背部分と、
○  それぞれ前記ページ綴りの２つの主外面（６ａ、６ｂ）に取り付けられ、かつ前記背部分（８ａ；１０８ａ；２０８ａ）に連結されている２つの側方部分（８ｂ；１０８ｂ；２０８ｂ）と、
を有し、かつ前記被覆細片（８）の前記背部分（８ａ；１０８ａ；２０８ａ）に前記磁気的手段（９ａ〜９ｂ；９ａ〜９ｄ；２０８ａ）が設けられていることを特徴とする詰め替え品。
【請求項２】
前記結合部（７）が前記可撓性のある被覆細片の前記背部分（８ａ；１０８ａ；２０８ａ）から隔たったところで折り曲げ可能となるように、前記結合部（７）は前記可撓性のある被覆細片（８；１０８；２０８）から離れて延在する請求項１に記載の詰め替え品。
【請求項３】
前記磁気的手段（９ａ〜９ｂ；９ａ〜９ｄ；２０８ａ）は、強磁性材料から構成されている請求項１または２に記載の詰め替え品。
【請求項４】
前記強磁性材料は、恒久的に磁化されている請求項３に記載の詰め替え品。
【請求項５】
前記強磁性材料は、金属である請求項３に記載の詰め替え品。
【請求項６】
前記被覆細片（８）の厚さが１ｍｍよりも薄い請求項１から５のいずれか一項に記載の詰め替え品。
【請求項７】
前記磁気的手段（９ａ〜９ｂ；９ａ〜９ｄ）は、前記被覆細片の前記背部分（８ａ）と一体の少なくとも１つの磁気要素を備えている請求項１から６のいずれか一項に記載の詰め替え品。
【請求項８】
前記被覆細片（１０８；２０８）の前記背部分（１０８ａ；２０８ａ）は、所定の厚さを有し、かつ前記磁気要素は、前記厚さに含まれている請求項７に記載の詰め替え品。
【請求項９】
前記磁気要素は、前記綴り（６）の前記結合部（７）と向き合っている前記被覆細片（８；１０８）の前記背部分（８ａ；１０８ａ）に取り付けられている請求項７に記載の詰め替え品。
【請求項１０】
前記被覆細片（８；１０８）の前記背部分（８ａ；１０８ａ）は、前記詰め替え品の前記背（６ｃ）に沿って間隔を開けて配置されている少なくとも２つの磁気要素（９ａ〜９ｂ；９ａ〜９ｄ）と一体である請求項７から９のいずれか一項に記載の詰め替え品。
【請求項１１】
前記磁気要素（９ａ〜９ｂ；９ａ〜９ｄ）は、前記詰め替え品の前記背（６ｃ）に、前記詰め替え品の前記背に直角な軸回りの前記詰め替え品の１８０°の回転に対して非対称に配置されている請求項１０に記載の詰め替え品。
【請求項１２】
前記磁気的手段は、前記被覆細片（２０８）の前記背部分（２０８ａ）の材料に一体化した少なくとも１つの磁気的材料を備える請求項１から５のいずれか一項に記載の詰め替え品。
【請求項１３】
前記被覆細片（８；１０８；２０８）の前記２つの側方部分（８ｂ；１０８ｂ；２０８ｂ）の各々は、
−  拘束されていないとともに可撓性のある中間部分（８ｃ；１０８ｃ；２０８ｃ）であって、前記背部分（８ａ；１０８ａ；２０８ａ）から横方向に延在するとともに、前記ページ綴り（６）の対応する前記主外面（６ａ、６ｂ）に取り付けられていない中間部分と、
−  前記中間部分から延在するとともに、前記ページ綴りの前記対応する主外面（６ａ、６ｂ）に取り付けられている端部部分（８ｄ；１０８ｄ；２０８ｄ）と、
を備える請求項１から１２のいずれか一項に記載の詰め替え品。
【請求項１４】
前記被覆細片（８）の前記背部分（８ａ）は所定の幅を有し、前記磁気的手段（９ａ〜９ｂ；９ａ〜９ｄ）は少なくとも１つの硬質の磁気要素を備え、前記磁気要素が、前記背部分（８ａ）の幅（Ｌ０）よりも狭い幅（ｌ）にわたって延在し、前記背部分（８ａ）は、拘束されていないとともに可撓性のある２つの側方細片（８ｅ）を有し、前記側方細片（８ｅ）は、前記磁気要素で覆われておらず、かつ前記被覆細片の前記側方部分（８ｂ）に連結されている請求項１から１３のいずれか一項に記載の詰め替え品。
【請求項１５】
−  請求項１から１４のいずれか一項に記載の詰め替え品（６）と、
−  少なくとも前面カバーボード（２ａ）、後面カバーボード（２ｂ）、ならびに前記前面カバーボードおよび前記後面カバーボードを連結するカバーの背（２ｃ）を備えるカバー（２）であって、前記カバーの背（２ｃ）に、前記詰め替え品の磁気的手段（９ａ〜９ｂ；９ａ〜９ｄ；２０８ａ）を引き付けるように構成された磁気的手段（３ａ〜３ｂ；３ａ〜３ｄ）が設けられているカバー（２）と、
を備える文具品。
【発明の詳細な説明】
【技術分野】
【０００１】
本発明は、文具品のための詰め替え品、および当該詰め替え品を備えた文具品に関する。
【０００２】
概して、本発明は、カバーと、取り外し可能な内容物と、を備えた文具品で、例えば、内容物を交換しながら保護カバーを手元に残すことができるものの分野に関する。これらの物品は、任意形式の台帳、ノート、メモ帳、スケジュール帳、または、他の物品とすることができる。
【０００３】
より具体的には、本発明は、文具品のための詰め替え品に関し、この詰め替え品は、
−  複数の積み重ねられたページを含むページの綴り（または「ブロック」）であって、
○  所定の厚さだけ離れている２つの主外面と、
○  綴りの一方の側において上記厚さを規定する背（spine）（または「裏（back）」）と、
を形成するページの綴りと、
−  綴りのページを綴りの背で互いに接合する結合部と、
−  綴りの背に配置され、磁気の引き付ける力によって文具品のカバーに取り付けられるようにした磁気的手段と、を備える。
【背景技術】
【０００４】
特許文献１にはこの種の詰め替え品が記載され、この詰め替え品は、磁気の引き付ける力で保護カバーの背の内側面に取り付けられている。特許文献１に記載されている詰め替え品の背は磁気要素を備え、この磁気要素は、ページ綴りの結合部を堅くし、ページを開くことをより困難にすることがある。このようにページを開くことが困難であると、使用者は、詰め替え品の中央部分を押し付けることにより、むりやりにページを開くことがあり、これにより詰め替え品が傷むことがある。
【先行技術文献】
【特許文献】
【０００５】
【特許文献１】国際公開第２００７／１２７４５１号パンフレット
【発明の概要】
【発明が解決しようとする課題】
【０００６】
本発明は、これらの欠点の一部または全てを解決しようとするものである。
【課題を解決するための手段】
【０００７】
この目的のために、本発明は、上記のタイプの詰め替え品を提案し、この詰め替え品は、可撓性のある被覆細片（flexible covering strip）をさらに備え、被覆細片が、
−  結合部の外側を覆う背部分（spine portion）（または「裏部分（back portion）」
）と、
−  それぞれページ綴りの２つの主面に取り付けられ、かつ、背部分に連結されている２つの側方部分と、
を有し、被覆細片の背部分には前記磁気的手段が設けられている。
【０００８】
この被覆細片のために磁気的手段が詰め替え品の結合部から離れているので、磁気的手段のために、詰め替え品のページを開く困難さが増すことは全くない、または僅かしかない。
【０００９】
本発明にかかる詰め替え品のさまざまな実施形態において、以下の構成の１つまたは２つ以上を用いることができる。
−  磁気的手段は、強磁性材料からなる。
−  前記強磁性材料は、恒久的に磁化されている。
−  前記強磁性材料は、金属である。
−  被覆細片は、厚さが、１ｍｍよりも薄く、好ましくは０．５ｍｍより薄い。
−  磁気的手段は、被覆細片の背部分と一体の、少なくとも１つの磁気要素を備えている。
−  被覆細片の背部分は、所定の厚さを有し、かつ前記磁気要素は、前記厚さに含まれている。
−  前記磁気要素は、前記綴りの結合部と向き合っている被覆細片の背部分に取り付けられている。
−  被覆細片の背部分は、詰め替え品の背に沿って間隔を開けて配置されている少なくとも２つの磁気要素と一体である。
−  磁気要素は、詰め替え品の背に、詰め替え品の背に直角な軸回りの詰め替え品の１８０°の回転に対して非対称に配置されている。
−  磁気要素は、互いに対して非平衡に分極した永久磁石である。
−  磁気的手段は、被覆細片の背部分の材料に一体化した少なくとも１つの磁気的材料を備える。
−  被覆細片の２つの側方部分の各々は、
○  拘束されていないともに可撓性のある（free and flexible）中間部分であって、背部分から横方向に延在するとともに、ページ綴りの対応する主面に取り付けられていない中間部分と、
○  中間部分から延在するとともに、ページ綴りの対応する前記主面に取り付けられている端部部分（これは、ページを開けるようにするためには特に優れた構成である）と、
を備える。
−  被覆細片の背部分は所定の幅を有し、かつ磁気的手段は少なくとも１つの硬質の磁気要素を備え、磁気要素は、背部分の幅よりも狭い幅にわたって延在し、背部分は、拘束されていないとともに可撓性のある２つの側方細片を有し、側方細片は、磁気要素で覆われておらず、かつ、被覆細片の側方部分に連結されている（これは、ページを開けるようにするためには特に優れた構成である）。
【００１０】
本発明はまた、
−  上記に定義したような詰め替え品と、
−  少なくとも前面カバーボード、後面カバーボード、ならびに前面カバーボードおよび後面カバーボードを連結する背を備えるカバーであって、背に、詰め替え品の磁気的手段を引き付けるように構成された磁気的手段が設けられているカバーと、
を備える文具品に関する。
【００１１】
本発明の文具品のさまざまな実施形態において、以下の構成の一方または両方を利用してもよい。
−  詰め替え品の磁気的手段が、被覆細片の背部分と一体の少なくとも１つの磁気要素を備え、かつカバーの背が、詰め替え品の磁気要素を磁気的に引き付けるように構成されているとともに、詰め替え品の磁気要素に対応するように配置された少なくとも１つの補完的な磁気要素を備える。
−  詰め替え品の磁気的手段が、被覆細片の背部分と一体の複数の磁気要素を備え、カバーの背は、それぞれが詰め替え品の磁気要素を磁気的に引き付けるように構成されているとともに、詰め替え品の磁気要素に対応するように配置されている複数の補完的な磁気要素を備える。
【００１２】
本発明の他の特徴および利点は、非限定的な例として与えられたいくつかの実施形態についての以下の説明を添付図面と共に参照すれば明らかになるであろう。
【図面の簡単な説明】
【００１３】
【図１】本発明の第１の実施形態にかかる文具品を示す斜視図である。
【図２】図１に示した文具品の詰め替え品の背を示す側面図である。
【図３】本発明にかかる物品の、完全に閉じた位置での断面図である。
【図４】図３に示した文具品の背を示す詳細図である。
【図５】横断面の斜視図であり、開いた位置での図１〜４の文具品を示す図である。
【図６】図５の文具品の背を示す詳細図である。
【図７】図６の一部の拡大図である。
【図８】本発明の第２の実施形態にかかる文具品を示す斜視図である。
【図９】開いた位置での第２および第３の実施形態にかかる詰め替え品の断面図である。
【図１０】開いた位置での第２および第３の実施形態にかかる詰め替え品の断面図である。
【発明を実施するための形態】
【００１４】
同じ参照符号が、異なる図における同一または類似の要素を示すのに使用されている。
【００１５】
第１実施形態
本発明は文具品（stationery item）１に関し、この文具品１の第１の実施形態が図１に示されている。
【００１６】
この文具品１は、ノートまたは類似の物品で、カバー２と、詰め替え品（refill）６と、を含むものであってもよい。
【００１７】
カバー２は、
−  前面カバーボード２ａと、
−  後面カバーボード２ｂと、
−  文具品１の厚さを規定する背２ｃと、を備える。この背２ｃは、カバーボード２ａ、２ｂに２つのヒンジ部２ｄによってそれぞれ連結されている。２つのヒンジ部２ｄは、例えば、カバー２において厚みを薄くした２本の線として形成され、上記の背２ｃの両側で、背２ｃに沿って延在している。
【００１８】
オプションとして、カバーボード２ａ、２ｂの各々は、背２ｃと反対側の縁部でヒンジ式折り返し部２ｅによって拡張されていてもよい。ヒンジ式折り返し部２ｅは、対応するカバーボードにヒンジ部２ｆによって連結されている。ヒンジ部２ｆは、例えば、カバー２における厚さを薄くした線として形成されている。
【００１９】
図３に示されているように、折り返し部２ｅは、各々、文具品１の厚さの約半分の厚さを有することができ、また、文具品１を閉じたときに、縁部同士が互いに接触するように、互いの方に向けて、カバーボード２ａ、２ｂに対して９０°に折り曲げることができる。折り返し部２ｅには、永久磁石２ｇまたは他の磁気要素が入っていてもよい。永久磁石２ｇまたは他の磁気要素は、一方の折り返し部２ｅと他方で互いに向き合うように配置されており、また、物品１が閉じた位置にあるときに、磁気の引き付ける力によって互いに引き付け、折り返し部２ｅの縁部が互いに当たった状態を保つようになっている。物品１が開いた位置にあるときは、折り返し部を広げ、カバーボード２ａ、２ｂの延長として平坦にすることができる。
【００２０】
カバー２の背２ｃの内側の面には、磁気的手段が設けられている。磁気的手段は、ここで考えている例では、１つまたは２つ以上の永久磁石から構成されていてもよく、例えば、開示された実施形態では、２つの永久磁石３ａ、３ｂから構成されていてもよい（図１参照）。
【００２１】
カバー２は、堅い材料または可撓性のある材料から、任意の既知の方法で作られていてもよい。例えば、上記のカバー２は、例えばボール紙または他の材料から作られた厚い外層４を含んでいてもよい。外層４は、皮、布、紙または他の材料（不図示）で覆われているかもしれない。この厚い層４はまた、紙または他の材料からなる裏張り５で覆われている。裏張りは比較的薄く、例えば０．５ｍｍ以下である。開示された例では、上記の磁石３ａ、３ｂを厚い層４の凹部４ａの中に接着し、物品１の内側表面で裏張り５によって覆うことができる。裏張り５は、上記の磁石と接触している。もちろん、磁石３ａ、３ｂは、任意の他の方法で、カバー２の背２ｃの内側の面に取り付けることができる。
【００２２】
図１および図２に示されているように、文具品１は、詰め替え品６をも備えている。詰め替え品６は、重ねられ、結合部７によって互いに１つにまとめられた一綴りの紙６ｇを形成している。詰め替え品６は、以下のものを有する。
−  主前面６ａおよび主後面６ｂ。例えば、他の紙６ｇと同一であるか、より厚い紙から形成されている。
−  詰め替え品６の厚さを規定する４つの縁部６ｃ〜６ｆ。これらの縁部は、背６ｃ、上側縁部６ｄまたは上部縁部、下側縁部６ｅまたは底部縁部、および背と反対側の縁部６ｆで前部縁部と呼ばれるものからなる。
【００２３】
図１〜図３に示されているように、詰め替え品６のページ６ｇは、結合部７によって、詰め替え品の背６ｃにおいて互いにつなぎ合わされている。この結合部７は、任意の既知のタイプであってもよく、例えば、接着剤で接着することにより取り付けられた接着布、さらに場合によっては、ページ６ｇの背６ｃの縁に沿った縫い目を備える。
【００２４】
詰め替え品６は、比較的薄く（例えば、厚さが１ｍｍより薄く、好ましくは約０．５ｍｍ以下である）、可撓性のある被覆細片（flexible covering strip）８をさらに含んでいる。被覆細片８は、結合部７の外側と、主前面６ａおよび主後面６ｂの少なくとも一部とを覆っている。この被覆細片８は、例えば、布もしくは紙または他の材料からなっていてもよい。
【００２５】
開示された例では、被覆細片８は、より具体的には以下のものを備えている。
−  結合部７の外側を覆う背部分８ａ、および
−  接着剤による接着または他の手段によって、ページ綴り６ｇの２つの主面６ａ、６ｂにそれぞれ取り付けられ、かつ、背部分８ａに連結されている２つの側方部分８ｂ。
【００２６】
この被覆細片８の背部分８ａには磁気的手段が組み込まれている。磁気的手段は、カバー２の背２ｃの磁気的手段によって引き付けられ、詰め替え品６をカバー２に取り外し可能に取り付けられるように構成されている。図１〜図３に示されている例では、被覆細片８の磁気的手段が永久磁石９ａ、９ｂであり、カバーの永久磁石３ａ、３ｂの反対側に配置され、対応する磁石３ａ、３ｂおよび９ａ、９ｂが磁気の引き付ける力で互いを引き付けるように配置した極性を有する。
【００２７】
もちろん、磁石９ａ、９ｂは、恒久的に磁化されているか否かに拘わらず、強磁性材料からなる任意の他の部品と置き換えてもよい。強磁性材からなる任意の他の部品は、例えば、接着剤に粉末を混ぜることによって得られた金属部品または磁性材料であり、粉末は、磁性粒子が入っている、もしくは、鉄鋼材を主成分とする、または、これらを組み合わせたものである。
【００２８】
磁石９ａ、９ｂの配置は、オプションとして、背６ｃに直角な軸周りの詰め替え品の回転に対して、つまり、上部縁部６ｄと底部縁部６ｅを逆さまにする詰め替え品の回転に対して、非対称であってもよい。この場合、磁石３ａ、３ｂまたはカバー２の他の磁気要素もまた、磁石９ａ、９ｂに対応して非対称に配置される。このフールプルーフ式の配置のために、特に、詰め替え品のページ６ｇに、ページ６ｇが予め定められた向きにあることが想定されている情報が含まれていると（例えば、物品１がスケジュール帳または同様の物品である場合）、使用者は詰め替え品６をカバー２の内側で適切な方向に置かなければならなくなる。
【００２９】
これに代えて又は加えて、このようなフールプルーフ化は、磁気の引き付ける力による取り付けが、カバー２に対して詰め替え品６の１つの位置のみにおいて実現されるように、磁石９ａ、９ｂの極性を（例えば、磁石９ａおよび磁石９ｂの間で極性を逆にすることによって）磁石毎に異なる向きにすることにより実現することができる。もちろん、この場合、磁石３ａ、３ｂの極性は、１つの磁石３ａ、３ｂのＮ極が対応する磁石９ａ、９ｂのＳ極にそれぞれ対応するように配置される。
【００３０】
非限定的な例であるが、磁石３ａ、３ｂ、９ａ、９ｂは、形状が平行六面体であってもよく、また長手方向（背６ｃの長手方向）に磁化されていてもよい。ただし、磁石は異なる形状を有していてもよい（例えば、長円形または円形の円盤）。
【００３１】
詰め替え品６における磁石９ａ、９ｂの配置は、図１〜図７との関連でこれよりさらに説明する。
【００３２】
磁石９ａ、９ｂは、例えば、接着剤の層１０によって被覆細片８の背部分８ａの内側に接着され、図３および図４における、より詳細な図に見られるように、結合部７と向き合っているが、綴りのページ６ｇまたは綴りの結合部７にくっつくことはない。数ミリメートルの間隔が、場合によっては、磁石９ａ、９ｂと結合部７との間に残る可能性がある。磁石９ａ、９ｂまたは他の磁気的手段が被覆細片８に組み込まれており、特に背部分８ａの内面に配置されていることから、これらの磁気的手段は詰め替え品に、低コストの、非常に確実な方法で簡単に取り付けられ、詰め替え品のページ６ｇを開くことを妨げることもない。
【００３３】
詰め替え品６をカバー２に取り付けたとき、磁石９ａ、９ｂは、磁石３ａ、３ｂから、被覆細片８、裏張り５、および、接着層１０の厚さの分しか離れていない。この厚さは、例えば、合計で１．２ｍｍより小さい、または磁石３ａ、３ｂと対応する磁石９ａ、９ｂとの間が１ｍｍよりも小さいことさえある。
【００３４】
磁石９ａ、９ｂまたは同様の磁気要素の各々は、ここでは幅ｌだけ延在している。幅ｌは、詰め替え品６を形成するシートの綴りの厚さＬ０の例えば６０から１００％の間である。この幅ｌは、Ｌ０の７０から９０％であると都合がよい。幅ｌが厚さＬ０よりも狭い場合、背部分８ａは、２つの、拘束されていないとともに可撓性のある（free and flexible）側方細片８ｅを有する。側方細片８ｅは、磁石９ａ、９ｂによって覆われておらず、側方部分８ｂに連結している。
【００３５】
磁石については他の配置も可能であり、例えば、磁石９ａ、９ｂの各々を背部分８ａの幅に沿って互いに並べて置いた２つ以上の磁石と置き換えることもできる。この場合、補完的な磁石３ａ、３ｂを同様に配置することで、カバー２を取り付けたときに磁気的な案内効果を得ることが、それぞれの磁石の対で異なる極性の向きを選択することにより可能になる。
【００３６】
図３および図４を参照すると、被覆細片８の側方部分８ｂは、以下のように、異なる長手方向部分に分けることができる。
−  背部分８ａを横方向に延在する、拘束されていないとともに可撓性がある中間部分８ｃ。
−  中間部分８ｃを拡張し、かつ、例えば接着層１１によって、ページ綴り６ｇの対応する主表面６ａ、６ｂに取り付けられている端部部分８ｄ。
【００３７】
側方部分８ｂのいずれも、長手方向取り付け部分８ｄを有し、この取り付け部分８ｄの幅が綴りにおけるページ６ｇの幅よりもかなり狭いようにここでは表されているが、主表面６ａ、６ｂの全体を覆う側方部分８ｂを有することもまた可能である。
【００３８】
図４に表されている閉じた位置では、拘束されていないとともに可撓性がある中間部分８ｃが、端部部分８ｄの延長上に第１の副部分を有することが明確に分かる。以下に説明するように、第１の副部分の幅ｌ１は十分にあるので、綴りのページ６ｇは磁石９ａ、９ｂに対して回転運動をしている間にずれることができる。幅がｌ１であるこの第１の副部分は、閉じた位置では、綴りのページ６ｇに対して平行に保持される。
【００３９】
中間部分８ｃの残部は、背部分８ａの縁部にある側方細片８ｅと共に、幅がｌ２（図４に示すように、曲線に沿った幅である）の第２の副部分を規定する。第２の副部分は、幅がｌ１である第１の副部分を補完するものである。閉じた位置では、幅がｌ２であるこの第２の長手方向副部分が、背部分８ａと、幅がｌ１である第１の副部分との間に可撓性のある連結部を形成する。幅ｌ２は、磁石９ａ、９ｂの厚さｅよりもかなり大きいことが好ましい。この厚みｅは、背部分８ａに対して直角に測定されている。
【００４０】
図５〜図７に見られるように、上記のように配置することにより、ページ６ｇを簡単に開くことができ、磁石９ａ、９ｂによって邪魔されることがなく、この結果、ページ６ｇは、開いたときに、従来の結合部と違って、実質的に平坦に置くことができる。
【００４１】
使用者が詰め替え品６のページを開くと、幅がｌ２である第２の副部分が最初に曲がり、幅がｌ１である第１の部分が次に曲がって、図５から図７に示す平坦に開いた位置になる。この平坦に開いた位置は、結合部７に被覆細片８が与える可撓性によって可能となっている。被覆細片８は、図６および図７に示すように、結合部７が開かれた詰め替え品６のアーチ形状に沿うことを可能にする。この位置では、結合部７の２つの側縁部が（最初は、開く前の厚さＬ０だけ離れていたが）、距離Ｌ１だけ離れるまで互いの方へ引き寄せられる。距離Ｌ１は、例えば、Ｌ０／３より小さいことがある。
【００４２】
この距離を狭くすると、幅ｌ１が増すことが分かる。よって、ｌ１を磁石９ａの幅ｌの１／８から１／４に選択することができる。この幅はまた、拘束されていない幅ｌ２を増すことで狭くなるが、拘束されていない幅ｌ２は、特に、拘束されていない側方細片８ｅの幅に左右される。簡潔にいうと、図６から図７に示すこの特定の非限定的な例では、以下の関係がある：
ｌ＝Ｌ１＋４．ｌ１＋２．（ｌ２−ｅ）                    （１）
【００４３】
図６〜図７を参照すると、詰め替え品６が開いた位置にあると、幅がｌ２である副部分は、好ましくは、少なくとも、磁石９ａまたは磁石９ｂの隣接する側面の厚さ全体を覆う。さらに、この位置では、幅がｌ１である副部分は、磁石９ａ、９ｂの、結合部７と向き合っている面の少なくとも一部を覆う。この幅がｌ１である副部分は、長手方向折り曲げ領域まで延在する。長手方向折り曲げ領域は、拘束されていない中間部分８ｃと端部部分８ｄが連結されているところに対応している。
【００４４】
ページ６ｇを開いた後に、ページ６ｇを開いたことにより、折り曲げ可能な長手方向部分８ｃの各々が、ページ綴り６ｇにくっついたままである隣接する端部部分８ｄに対して、確実に、完全に折り曲がることが分かる。このように、綴り６の主面６ａ、６ｂに沿って折り曲がるので、結合部７を折り曲げることは、背部分８ａへの取り付け部、つまり磁気要素９ａ、９ｂが配置されているところで妨げられない。
【００４５】
この第１の実施形態では、被覆細片８は背部分８ａと端部部分８ｄとの間で柔軟である。もちろん、ページ綴り６ｇに取り付けられていない、幅がｌ１である副部分だけを利用して柔軟にしてもよいし、幅がｌ２である副部分だけを利用して、場合によっては、磁石９ａ、９ｂと結合部７との間に空間を残すことで追加の遊びを導入して柔軟にしてもよい。
【００４６】
この実施形態では、詰め替え品６が小型の形状を有し、基本的には、ページ綴り６ｇをその結合部７、被覆細片８、および磁気要素９ａ、９ｂと共に備えている。よって、詰め替え品６は、ページ綴り６ｇが閉じた位置にあると、実質的に平行六面体の大きな塊となることがある。図３に見られるように、カバー２の折り返し部２ｅは、補完的な磁気要素２ｇが備え付けてあり、例えば、カバー２の背４に外部から衝撃があったときに、詰め替え品６が外れるのを防止する。他の非磁性のデバイスで、背４の反対側の縁部に同様に設置されたものもまた、折り返し部２ｅ、および／または、折り返し部２ｅ内の磁性要素２ｇを利用する代わりとして、カバー２を閉じた位置に維持するのに利用してもよい。
【００４７】
図示の例では、詰め替え品６が１つだけカバー２に取り付けられているのを示しているが、複数の詰め替え品を並べて取り付けることもできることが理解される。したがって、図１に示した詰め替え品６は、各々の背６ｃに磁気要素９ａ、９ｂがあり、この磁気要素９ａ、９ｂがカバー２の磁石３ａ、３ｂと協働する２つの詰め替え品と置き換えることができる。
【００４８】
さらにまた、カバー２は、背２ｃの中に、磁石３ａ、３ｂに対して外側に配置した金属製タブ（metal tab）または類似の金属要素を含んでいてもよい。この構成により、文具品１を越える磁場が減少する。このような金属製タブは、カバー２と、詰め替え品６または複数の詰め替え品６との間の磁気で引き付ける力をさらに強化する。
【００４９】
カバー２の背２ｃは、ここでは平坦に表されているが、代わりに背２ｃが丸い輪郭をしていてもよいことは理解される。この場合、背２ｃの内側面は、場合によっては凹面形を有し、磁石３ａ、３ｂは丸い輪郭を有している。丸い輪郭は、カバー２の背２ｃの輪郭と同様であってもよい。詰め替え品６をカバー２に取り付け可能にする、詰め替え品６の対応する磁気要素９ａ、９ｂは、この場合、磁石３ａ、３ｂの形状を補完するような形状の凸面を有していてもよい。
【００５０】
これより、他の３つの実施形態を図８から図１０を参照しながら説明する。第１の実施形態について前述した全てのことは、これら代替実施形態に当てはまるので、これについては詳述しない。これら他の実施形態の各々と、第１の実施形態との差異についてのみ以下に説明する。
【００５１】
第２実施形態
図８を参照すると、詰め替え品６は、全体的な形状が第１の実施形態の詰め替え品と同様であり、本質的には、使用されている類似の磁石９ａ、９ｂ、９ｃ、９ｄまたは磁気要素の数だけが異なるものとしてここに示されている。ここでは、４つの磁石９ａ、９ｂ、９ｃ、９ｄが一列に並べられている。そして、４つの磁石３ａ、３ｂ、３ｃ、３ｄがカバーの背２ｃに、同様の配列で設けられている。
【００５２】
さらに一般的には、磁気の引き付ける力によるカバー２の背２ｃへの取り外し可能な取り付けを実施するためには、磁気要素の数または形状を変えることができる。
【００５３】
第３の実施形態および第４の実施形態
第３の実施形態（図９）では、オプションとして、被覆細片８を熱可塑性材料からなる一部品であって、磁気要素または複数の磁気要素９ａ、９ｂを包むまたはオーバーモールド（overmold）する部品として成形してもよい。側方部分１０８ｂは、磁石または複数の磁石９ａを封入している背部分１０８ａに可撓性をもって連結されている。側方部分１０８ｂの各々は、上述したように、拘束されていない中間部分１０８ｃと、端部部分１０８ｄとを含み、端部部分１０８ｄは、接着剤または他の方法でページ綴り６の主面６ａ、６ｂに接合されている。
【００５４】
第４の実施形態（図１０）では、磁性材料を被覆細片２０８の成分にさらに組み入れてもよく、この被覆細片２０８は、ページ綴り６ｇの主面にその側方部分２０８ｂで取り付けることができる。この場合、この背部分２０８ａは、強磁性材料の粉末を基材に分散させた複合材料から形成される。背部分２０８ａに組み込まれた磁気要素はこのように得られ、背部分２０８よりも薄く、したがってより柔軟である側方部分２０８ｂの一部として製造される。
【００５５】
側方部分２０８ｂは、背部分２０８ａに可撓性をもって連結されている。上述したように、側方部分２０８ｂの各々は、拘束されていない中間部分２０８ｃと、端部部分２０８ｄとを含んでいて、端部部分２０８ｄは、接着剤または他の方法でページ綴り６の主面６ａ、６ｂに接合されている。
【００５６】
図３から図７、図９および図１０の例は、詰め替え品６の使用法が示されており、被覆細片８、１０８、２０８がページ綴り６ｇに側方部分８ｂ、１０８ｂ、２０８ｂのみで取り付けられていることが分かる。この構成は、ページ綴り６ｇに恒久的に取り付けられた文具品１にも使用できる。
【００５７】
実際、ページ６ｇを開いて平坦に置くには、被覆細片８、１０８、２０８を備える文具品１という構成は、ページ綴り６ｇの取り付け方（取り外し可能、または、取り外し不能）に拘わらず、利用できることを本発明者らは確認している。より詳しくは、−  少なくとも前面カバーボード２ａ、後面カバーボード２ｂ、ならびに前面カバーボード２ａおよび後面カバーボード２ｂを連結する背２ｃを含むカバー２と、
−  複数の積み重ねられたページであって、
○  所定の厚さＬ０だけ離れている２つの主外面６ａ、６ｂと、
○  上記の厚さを綴りの一方の側で規定する背６ｃと、
を形成するページを含むページ綴り６ｇと、
−  綴りのページ６ｇを綴りの背６ｃで互いにつなぎ合わせる結合部７と、
−  上記複数のページ６ｇをカバー２の背２ｃに対してめくることができるように上記複数のページ６ｇを取り付ける、カバー２の背２ｃと一体の取り付け手段と、
を備え、取り付け手段は、可撓性のある被覆細片８、１０８、２０８を備え、この被覆細片８、１０８、２０８は、
−  結合部７の外側を覆い、カバー２の背２ｃに取り付けられた背部分８ａ、１０８ａ、２０８ａと、
−  それぞれがページ綴り６ｇの２つの主面に取り付けられ、かつ背部分８ａ、１０８ａ、２０８ａに連結された２つの側方部分８ｂ、１０８ｂ、２０８ｂと、
を備え、可撓性のある被覆細片８、１０８、２０８は、背部分８ａ、１０８ａ、２０８ａと、２つの側方部分８ｂ、１０８ｂ、２０８ｂのうちの１つとの間の連結部に、カバー２の背２ｃと、側方部分８ｂ、１０８ｂ、２０８ｂの一部である取り付け部分との間に配置された、拘束されていないとともに可撓性のある部分（８ｃ、１０８ｃ、２０８ｃ、８ｅ）をさらに有し、上記取り付け部分は、ページ綴り６ｇの対応する主面６ａ、６ｂに取り付けられ、上記拘束されていないとともに可撓性のある部分（８ｃ、１０８ｃ、２０８ｃ、８ｅ）は、カバー２の背２ｃ、または、ページ綴り６ｇ、または、結合部７に取り付けられていない、文具品１を提案することができる。
【００５８】
発明の別の特徴によれば、拘束されていないとともに可撓性のある部分（８ｃ、１０８ｃ、２０８ｃ、８ｅ）は、ページ綴り６ｇの背６ｃと、主面６ａ、６ｂのうちの１つとの間に形成された隆起部を完全に覆う。
【符号の説明】
【００５９】
１  文具品
２  カバー
６  ページ綴り
６ａ、６ｂ  主面
６ｃ  背
６ｇ  ページ
７  結合部
８、１０８、２０８  被覆細片
８ａ、１０８ａ、２０８ａ  背部分
８ｂ、１０８ｂ、２０８ｂ  側方部分
８ｃ、１０８ｃ、２０８ｃ  中間部分
８ｄ、１０８ｄ、２０８ｄ  端部部分
８ｅ  側方細片
９ａ〜９ｂ、９ａ〜９ｄ、２０８ａ  磁気的手段 
【図１】
0005851026.tif 000002
【図２】
0005851026.tif 000003
【図３】
0005851026.tif 000004
【図４】
0005851026.tif 000005
【図５】
0005851026.tif 000006
【図６】
0005851026.tif 000007
【図７】
0005851026.tif 000008
【図８】
0005851026.tif 000009
【図９】
0005851026.tif 000010
【図１０】
0005851026.tif 000011